(57)【特許請求の範囲】
【請求項１】
波形に形成された板状で、略三角形または略等脚台形の谷部が形成されたデッキプレート本体と、
前記デッキプレート本体の谷部に形成されたプレート挿入孔に挿入されることで前記谷部から谷部にわたって配設される帯板状で、吊りボルトを取り付けるためのボルト取付部が所定の間隔で複数設けられた吊りプレートと、
前記デッキプレート本体の山部側に設けられ、コンクリートが打設された際にコンクリートに食い込んで前記デッキプレート本体がコンクリートから剥離するのを防止する剥離防止部と、
を備え、前記吊りプレートは、前記デッキプレート本体の谷部に沿って所定の間隔で複数設けられている、
ことを特徴とするデッキプレート。
【請求項２】
波形に形成された板状で、略三角形の谷部が形成されたデッキプレート本体と、
吊りボルトを取り付けるためのボルト取付部であって前記吊りボルトが挿入され、前記デッキプレート本体の谷部の底辺部に前記谷部の長手方向に沿って所定の間隔で複数設けられたボルト挿入孔と、
前記谷部の少なくとも一方の斜辺部に前記ボルト挿入孔に対向して設けられ、前記吊りボルトにナットを締付可能な開口と、
前記デッキプレート本体の山部側に設けられ、コンクリートが打設された際にコンクリートに食い込んで前記デッキプレート本体がコンクリートから剥離するのを防止する剥離防止部と、
を備え、前記ボルト挿入孔は、前記谷部に略平行な方向と前記谷部に略直交する方向とにそれぞれ複数設けられている、
ことを特徴とするデッキプレート。
【請求項３】
前記デッキプレート本体と前記剥離防止部とが一体的に構成されている、
ことを特徴とする請求項１または２のいずれか1項に記載のデッキプレート。
【請求項４】
前記剥離防止部は、前記山部と略平行に延びて設けられている、
ことを特徴とする請求項１から３のいずれか1項に記載のデッキプレート。
【請求項５】
前記剥離防止部は、略逆Ｌ字状に形成されている、
ことを特徴とする請求項１から４のいずれか1項に記載のデッキプレート。
【発明の詳細な説明】
【技術分野】
【０００１】
本発明は、波形に形成された鋼板で、床材や屋根材などとして使用されるデッキプレートに関する。
【背景技術】
【０００２】
例えば、デッキプレートに空調ダクトを吊るして配設する場合、予めデッキプレートにインサートナットを取り付けてコンクリートを打設した後に、インサートナットに吊りボルトを取り付け（例えば、特許文献１参照。）、この吊りボルトで空調ダクトを吊るして配設していた。この際、設計上の空調ダクトの配設位置に合わせて、必要な箇所のみにインサートナットをデッキプレートに取り付けていた。また、インサートナットは、空調ダクトのみではなく、配線や配管などを配設する場合にも使用され、空調ダクトと同様に、設計上の配設位置に合わせて、必要な箇所のみにインサートナットをデッキプレートに取り付けていた。
【先行技術文献】
【特許文献】
【０００３】
【特許文献１】特開２０１４−１６０１３号公報
【発明の概要】
【発明が解決しようとする課題】
【０００４】
しかしながら、実際の施工現場においては、施工図の精度の悪さや、仕様の変更、空調ダクトなどの配設位置の変更などによって、予め取り付けられたインサートナットを使用できないケースが多く発生していた。例えば、その使用率は、５０％にも満たない場合があった。このため、空調ダクトなどの配設に際して、正しい配設位置に合わせて、現場で各業者が後打ちアンカーをデッキプレートに打設しなければならず、多大な時間と労力、費用を要していた。
【０００５】
しかも、デッキプレートにはコンクリートが既に打設されているため、後打ちアンカーの打設には多大な労力を要し、作業者の大きな負担となっていた。さらには、上方に向けて後打ちアンカーを打設しなければならないため、ローリングタワーなどを使用して安全性を確保する必要があり、多大な手間と費用を要していた。加えて、後打ちアンカーの打設によってコンクリートからの粉塵が飛散し、作業環境が悪化する、という問題があった。
【０００６】
そこでこの発明は、任意の位置に空調ダクトなどを配設可能なデッキプレートを提供することを目的とする。
【課題を解決するための手段】
【０００７】
上記目的を達成するために請求項１に記載の発明は、波形に形成された板状で、略三角形または略等脚台形の谷部が形成されたデッキプレート本体と、前記デッキプレート本体の谷部に形成されたプレート挿入孔に挿入されることで前記谷部から谷部にわたって配設される帯板状で、吊りボルトを取り付けるためのボルト取付部が所定の間隔で複数設けられた吊りプレートと、前記デッキプレート本体の山部側に設けられ、コンクリートが打設された際にコンクリートに食い込んで前記デッキプレート本体がコンクリートから剥離するのを防止する剥離防止部と、を備え、前記吊りプレートは、前記デッキプレート本体の谷部に沿って所定の間隔で複数設けられている、ことを特徴とするデッキプレートである。
また、請求項２に記載の発明は、波形に形成された板状で、略三角形の谷部が形成されたデッキプレート本体と、吊りボルトを取り付けるためのボルト取付部であって前記吊りボルトが挿入され、前記デッキプレート本体の谷部の底辺部に前記谷部の長手方向に沿って所定の間隔で複数設けられたボルト挿入孔と、前記谷部の少なくとも一方の斜辺部に前記ボルト挿入孔に対向して設けられ、前記吊りボルトにナットを締付可能な開口と、前記デッキプレート本体の山部側に設けられ、コンクリートが打設された際にコンクリートに食い込んで前記デッキプレート本体がコンクリートから剥離するのを防止する剥離防止部と、を備え、前記ボルト挿入孔は、前記谷部に略平行な方向と前記谷部に略直交する方向とにそれぞれ複数設けられている、ことを特徴とするデッキプレートである。
【０００８】
請求項３に記載の発明は、請求項１または２に記載のデッキプレートにおいて、前記デッキプレート本体と前記剥離防止部とが一体的に構成されている、ことを特徴とする。
【０００９】
請求項４に記載の発明は、請求項１から３に記載のデッキプレートにおいて、前記剥離防止部は、前記山部と略平行に延びて設けられている、ことを特徴とする。
【００１０】
請求項５に記載の発明は、請求項１から４に記載のデッキプレートにおいて、前記剥離防止部は、略逆Ｌ字状に形成されている、ことを特徴とする。
【発明の効果】
【００１２】
請求項１および請求項２に記載の発明によれば、デッキプレート本体の谷部側に、ボルト取付部が谷部に略平行な方向と略直交する方向とにそれぞれ複数設けられている。つまり、空調ダクトなどの配設位置に関わらず予め、縦横に複数のボルト取付部がデッキプレート本体の全面・四方にわたって設けられている。このため、任意・所望のボルト取付部に吊りボルトを取り付けることで、任意・所望の位置に容易に空調ダクトなどを配設することが可能となる。この結果、現場で後打ちアンカーを打設する必要がなくなり、作業者の負担を軽減して時間と労力、費用を削減することができるばかりでなく、安全性が向上するとともに、作業環境を改善することが可能となる。
【００１３】
一方、デッキプレート本体に空調ダクトなどを吊ると、デッキプレート本体に下方の力が作用する。しかしながら、デッキプレート本体の山部側にコンクリートに食い込む剥離防止部が設けられているため、デッキプレート本体がコンクリートから剥離するのを防止することが可能となる。
【００１４】
請求項３に記載の発明によれば、デッキプレート本体と剥離防止部とが一体的に構成されているため、構成が簡易となり、低コストで製作することが可能になるとともに、デッキプレート本体と剥離防止部とが離脱することがなく、デッキプレート本体がコンクリートから剥離するのをより確実に防止することが可能となる。
【００１５】
請求項４に記載の発明によれば、剥離防止部が山部と略平行に延びて設けられ、剥離防止部が山部の全長に沿ってコンクリートに食い込むため、デッキプレート本体がコンクリートから剥離するのをより確実に防止することが可能となる。
【００１６】
請求項５に記載の発明によれば、剥離防止部が略逆Ｌ字状つまり鉤形に形成され、剥離防止部がコンクリートにより複雑、強固に食い込むため、デッキプレート本体がコンクリートから剥離するのをより確実に防止することが可能となる。
【図面の簡単な説明】
【００１８】
【図１】この発明の実施の形態１に係るデッキプレートを示す正面図（ａ）と底面図（ｂ）である。
【図２】図１のデッキプレートのデッキプレート本体の側面図である。
【図３】図１のデッキプレートに吊りボルトを取り付けた状態を示す正面図である。
【図４】この発明の実施の形態２に係るデッキプレートに吊りボルトを配設した状態を示す正面図である。
【図５】この発明の実施の形態３に係るデッキプレートを示す正面図（ａ）と底面図（ｂ）である。
【図６】図５（ｂ）のＡ−Ａ断面図である。
【図７】図５のデッキプレートに吊りボルトを取り付けた状態を示す正面図である。
【発明を実施するための形態】
【００１９】
以下、この発明を図示の実施の形態に基づいて説端明する。
【００２０】
（実施の形態１）
図１〜図３は、この実施の形態を示し、図１は、この実施の形態に係るデッキプレート１１を示す正面図（ａ）と底面図（ｂ）である。このデッキプレート１１は、波形に形成された鋼板で、コンクリートスラグの型枠、床材や屋根材などとして使用されるプレートであり、任意の位置に空調ダクトや配線、配管などを吊って配設可能な点で、従来のデッキプレートと異なる。このデッキプレート１１は、デッキプレート本体２と吊りプレート３とを備える。
【００２１】
デッキプレート本体２は、波形に形成された板状で、この実施の形態では、平坦な山部２１と、山部２１に対して略垂直に突出する谷部２２が連続的に形成されて構成されている。すなわち、平板が２つ折りされてＴ字状に形成されたＴ字部が、所定の間隔で複数形成されることで、平坦な山部（Ｔ字部の水平部）２１と谷部（Ｔ字部の垂直部）２２とが連続的に形成されている。また、谷部２２の先端側が略三角形の筒状に形成されて、三角部２２ａが設けられている。ここで、図中符号２２ｂは、平板が２つ折りされて形成された隙間部である。
【００２２】
このような山部２１と谷部２２が、この実施の形態では、２つずつ形成され、一端側（図中左端）から順に、谷部２２、山部２１、谷部２２、山部２１が形成されている。また、一端側の谷部２２に連接して、山部２１と面一の接続面部２１ａが形成されている。一方、他端側（図中右端）の山部２１の自由端部は、山部２１に対して略垂直に谷部２２側に曲げられて接続部２１ｂが形成されている。そして、接続面部２１ａに隣接する隙間部２２ｂに、別のデッキプレート本体２の接続部２１ｂを挿入することで、複数のデッキプレート本体２が接続・連結されるようになっている。
【００２３】
ここで、デッキプレート本体２の板厚や山部２１と谷部２２の大きさ、高さ、および、谷部２２と谷部２２との間隔は、デッキプレート本体２の上方（反谷部２２側）に打設されるコンクリートの厚み・重量などに応じて、所定の強度、剛性が得られるように設定されている。また、この実施の形態では、それぞれ２つの山部２１と谷部２２を有する場合を例示しているが、打設されるコンクリートの厚みなどに応じて、異なる数の山部２１と谷部２２を有してもよい。
【００２４】
このようなデッキプレート本体２の山部２１側に剥離防止部２３が設けられている。この剥離防止部２３は、デッキプレート本体２の上方にコンクリートが打設された際に、コンクリートに食い込んでデッキプレート本体２がコンクリートから剥離するのを防止する部材である。この実施の形態では、デッキプレート本体２と剥離防止部２３とが一体的に構成され、剥離防止部２３は、略逆Ｌ字状に形成されている。
【００２５】
すなわち、各山部２１の中央部が反谷部２２側に突出するようにＩ字状に折り重ねられ（２つ折りにされ）、その先端部側（折り目側）が直角に曲げられて、剥離防止部２３がデッキプレート本体２と一体的に形成されている。この剥離防止部２３は、山部２１に対して略垂直な垂直部と山部２１に対して略平行な平行部とを有し、全体が略逆Ｌ字状・鉤形に形成されている。このような剥離防止部２３が、山部２１つまり谷部２２と略平行に延びて設けられ、山部２１および谷部２２の全長にわたって延び、谷部２２と谷部２２の各間に形成されている。また、この剥離防止部２３の形状、大きさは、コンクリートに強固に食い込んでデッキプレート本体２がコンクリートから剥離するのをより確実に防止するように設定されている。
【００２６】
一方、デッキプレート本体２の谷部２２側には、吊りプレート３を介して吊りボルト１０１を取り付けるためのボルト挿入孔（ボルト取付部）３ａが設けられている。具体的には、各谷部２２の三角部２２ａには、図２に示すように、吊りプレート３を挿入するためのプレート挿入孔２ａが形成されている。すなわち、三角部２２ａの底辺の直上に、吊りプレート３をガタなく挿入可能な横長で長方形状のプレート挿入孔２ａが形成されている。このプレート挿入孔２ａは、谷部２２の谷筋（谷が伸びる筋）に沿って後述する第２の所定の間隔ｄ２で複数形成され、かつ、谷部２２の谷筋に直交する方向において、各谷部２２のプレート挿入孔２ａが重なるように形成されている。
【００２７】
そして、デッキプレート本体２の谷部２２の谷筋に直交する方向に向けて、横長で帯状の吊りプレート３が各プレート挿入孔２ａに挿入されることで、吊りプレート３が谷部２２から谷部２２にわたり、かつ、谷部２２の底辺と谷部２２の底辺に沿って配設されている。また、吊りプレート３には、吊りボルト１０１が挿入されるボルト挿入孔３ａが長手方向に沿って第１の所定の間隔ｄ１で複数形成されている。この吊りプレート３の長さは、上記のようにして複数のデッキプレート本体２を接続した状態で、隣接するデッキプレート１１の吊りプレート３が隙間なく一直線上に配置されるように設定されている。
【００２８】
このような吊りプレート３が、デッキプレート本体２の谷部２２の谷筋に沿って第２の所定の間隔ｄ２で複数設けられている。ここで、第１の所定の間隔ｄ１と第２の所定の間隔ｄ２は、ボルト挿入孔３ａがデッキプレート本体２の全面・四方にわたって略均等に配設され、任意・所望のボルト挿入孔３ａに吊りボルト１０１を取り付けることで、任意・所望の位置に空調ダクトなどを吊って配設できるように設定されている。例えば、第１の所定の間隔ｄ１は、ボルト挿入孔３ａがデッキプレート本体２の各山部２１の中央部に対向するように（２００〜３００ｍｍ程度に）設定され、第２の所定の間隔ｄ２は、３００ｍｍ程度に設定されている。このような所定の間隔ｄ１、ｄ２は、同寸法にしてもよいし異なる寸法にしてもよい。このようにして、谷部２２に略平行な方向と谷部２２に略直交する方向とにそれぞれ、ボルト挿入孔３ａが複数設けられている。
【００２９】
ここで、この実施の形態では、２つのボルト挿入孔３ａが設けられた吊りプレート３が、２つデッキプレート本体２に設けられている場合について例示しているが、吊りプレート３により多くのボルト挿入孔３ａを設けたり、デッキプレート本体２により多くの吊りプレート３を設けたりしてもよい。また、吊りプレート３に３つ以上のボルト挿入孔３ａを設ける場合に、第１の所定の間隔ｄ１が異なっていてもよく、同様に３つ以上のプレート３を備える場合に、第２の所定の間隔ｄ２が異なっていてもよい。
【００３０】
このような構成のデッキプレート１１は、例えば、床材や屋根材として使用する場合、水平面状に延びるようにして隙間なく複数配置された状態で、図３に示すように、上方に鉄筋が配設されてコンクリートが打設される。この状態では、複数のデッキプレート１１で構成される床や屋根の全面にわたって、所定の間隔ｄ１、ｄ２で多数のボルト挿入孔３ａが配設され（散りばめられ）ている。
【００３１】
そして、床や屋根（デッキプレート１）に空調ダクトなどを吊って配設する場合には、まず、上端部側に吊りナット１０２を取り付けた吊りボルト１０１を、下方から所望のボルト挿入孔３ａに挿入する。次に、吊りボルト１０１の上端から別の吊りナット１０２を螺合させ、２つの吊りナット１０２を締め付ける。これにより、２つの吊りナット１０２で吊りプレート３が挟持され、吊りボルト１０１が吊りプレート３つまりデッキプレート１１に取り付けられる。このようにして必要な数の吊りボルト１０１を必要な位置に取り付けて、空調ダクトなどを吊るものである。
【００３２】
以上のように、このデッキプレート１１によれば、デッキプレート本体２の谷部２２側に、ボルト挿入孔３ａが谷部２２に略平行な方向と略直交する方向とにそれぞれ複数設けられている。つまり、空調ダクトなどの配設位置に関わらず予め、縦横に複数のボルト挿入孔３ａがデッキプレート本体２の全面・四方にわたって設けられている。このため、任意・所望のボルト挿入孔３ａに吊りボルト１０１を取り付けることで、任意・所望の位置に容易に空調ダクトなどを配設することが可能となる。この結果、現場で後打ちアンカーを打設する必要がなくなり、作業者の負担を軽減して時間と労力、費用を削減することができるばかりでなく、安全性が向上するとともに、作業環境を改善することが可能となる。
【００３３】
一方、デッキプレート本体２に空調ダクトなどを吊ると、デッキプレート本体２に下方の力が作用する。しかしながら、デッキプレート本体２の山部２１側にコンクリートに食い込む剥離防止部２３が設けられているため、デッキプレート本体２がコンクリートから剥離するのを防止することが可能となる。
【００３４】
また、デッキプレート本体２と剥離防止部２３とが一体的に構成されているため、構成が簡易となり、低コストで製作することが可能になるとともに、デッキプレート本体２と剥離防止部２３とが離脱することがなく、デッキプレート本体２がコンクリートから剥離するのをより確実に防止することが可能となる。
【００３５】
しかも、剥離防止部２３が山部２１および谷部２２と略平行に延びて設けられ、剥離防止部２３が山部２１および谷部２２の全長に沿ってコンクリートに食い込むため、デッキプレート本体２がコンクリートから剥離するのをより確実に防止することが可能となる。
【００３６】
さらに、剥離防止部２３が略逆Ｌ字状つまり鉤形に形成され、剥離防止部２３がコンクリートにより複雑、強固に食い込むため、デッキプレート本体２がコンクリートから剥離するのをより確実に防止することが可能となる。
【００３７】
また、ボルト取付部がボルト挿入孔３ａで構成されているだけであるため、ボルト取付部を簡易に低コストで構成することが可能となる。従って、最終的に使用されないボルト取付部が生じたとしても、無駄な費用を抑制することが可能となる。
【００３８】
（実施の形態２）
図４は、この実施の形態に係るデッキプレート１２に吊りボルト１０１を配設した状態を示す正面図である。この実施の形態では、デッキプレート本体２０の波形形状が実施の形態１のデッキプレート本体２と異なり、実施の形態１と同等の構成については、同一符号を付することでその説明を省略する。
【００３９】
すなわち、デッキプレート本体２０は、略等脚台形の山部２４と谷部２５が連続的に形成されて波形になっている。すなわち、底辺よりも上辺が短い略等脚台形で底辺を有さない山部２４が所定間隔で形成され、山部２４と山部２４との間に、上辺よりも底辺が短い略等脚台形で上辺を有さない谷部２５が形成されることで、略等脚台形で同形状の山部２４と谷部２５が隣接して連続的に形成されている。
【００４０】
そして、実施の形態１と同様に、第１の所定の間隔ｄ１で複数のボルト挿入孔３ａが形成された吊りプレート３が、谷部２５から谷部２５にわたって配設され、かつ、谷部２５の谷筋に沿って第２の所定の間隔ｄ２で複数設けられている。
【００４１】
このような実施の形態によれば、略等脚台形の山部２４と谷部２５が連続的に形成されてデッキプレート本体２０が構成されているため、剛性、強度が高く、厚いコンクリート打設に適する。そして、このようなデッキプレート本体２０の谷部２５の底辺に沿って吊りプレート３が配設されているため、デッキプレート本体２０の山部２４と吊りプレート３との間に広い空間が確保され、この空間を利用して吊りボルト１０１を容易、適正に取り付けたり、この空間に配線などを配設したりすることが可能となる。
【００４２】
（実施の形態３）
図５〜図７は、この実施の形態を示し、図５は、この実施の形態に係るデッキプレート１３を示す正面図（ａ）と底面図（ｂ）である。この実施の形態では、吊りプレート３を備えない点で実施の形態１と異なり、実施の形態１と同等の構成については、同一符号を付することでその説明を省略する。
【００４３】
この実施の形態では、各谷部２２の三角部２２ａの底辺部に、ボルト挿入孔３ａが谷部２２の長手方向に沿って第２の所定の間隔ｄ２で複数設けられている。さらに、各谷部２２の三角部２２ａの両方の斜辺部には、ボルト挿入孔３ａに対向し吊りボルト１０１に吊りナット１０２を締付可能な開口２２ｃが複数設けられている。すなわち、図６に示すように、三角部２２ａの両方の斜辺部に、略四角形で窓状の開口２２ｃが、谷部２２の長手方向においてボルト挿入孔３ａと同位置に（ボルト挿入孔３ａを臨むように）、第２の間隔ｄ２で複数形成されている。この開口２２ｃの形状、大きさは、この開口２２ｃから三角部２２ａ内に指やレンチを入れて、吊りナット１０２を締め付けられるように設定されている。ここで、この実施の形態では、三角部２２ａの両方の斜辺部に開口２２ｃが形成されているが、三角部２２ａの大きさやデッキプレート１３が設置される周囲環境などによっては、三角部２２ａの一方の斜辺部のみに形成するようにしてもよい。
【００４４】
そして、デッキプレート１３に空調ダクトなどを吊って配設する場合には、図７に示すように、上端部側に吊りナット１０２を取り付けた吊りボルト１０１を、下方から所望のボルト挿入孔３ａに挿入する。次に、このボルト挿入孔３ａに対向する開口２２ｃから三角部２２ａ内に指やレンチを入れて、吊りボルト１０１の上端から別の吊りナット１０２を螺合させ、２つの吊りナット１０２を締め付ける。これにより、２つの吊りナット１０２で三角部２２ａの底辺部が挟持され、吊りボルト１０１が谷部２２つまりデッキプレート１３に取り付けられる。このようにして必要な数の吊りボルト１０１を必要な位置に取り付けて、空調ダクトなどを吊るものである。
【００４５】
このような実施の形態によれば、各谷部２２の三角部２２ａの底辺部にボルト挿入孔３ａが設けられているため、吊りプレート３を備える必要がなく、重量および製作コストを軽減することが可能となる。
【００４６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ボルト挿入孔３ａがボルト取付部の場合について説明したが、ボルト取付部の構成はこれに限らない。例えば、吊りプレート３にボルト挿入孔３ａに代ってネジ孔（雌ネジ）を形成し、このネジ孔に吊りボルト１０１を螺合させて取り付けてもよい。また、デッキプレート本体２と剥離防止部２３とが一体的に構成されているが、別体で構成してもよい。これにより、既存・既製のデッキプレートに剥離防止部を取り付けて本デッキプレート１１、１２、１３を構成することができる。
【符号の説明】
【００４７】
１１、１２、１３  デッキプレート
２        デッキプレート本体
２１      山部
２２      谷部
２３      剥離防止部
３        吊りプレート
３ａ      ボルト挿入孔（ボルト取付部）
１０１    吊りボルト
１０２    吊りナット
ｄ１      第１の間隔
ｄ２      第２の間隔
【要約】
【課題】任意の位置に空調ダクトなどを配設可能なデッキプレートを提供する。
【解決手段】波形に形成された板状のデッキプレート本体２と、デッキプレート本体２の谷部２２側に設けられ、吊りボルトを取り付けるためのボルト挿入孔３ａと、デッキプレート本体２の山部２１側に設けられ、コンクリートが打設された際にコンクリートに食い込んでデッキプレート本体２がコンクリートから剥離するのを防止する剥離防止部２３と、を備え、ボルト挿入孔３ａは、谷部２２に略平行な方向と谷部２２に略直交する方向とにそれぞれ複数設けられている。
【選択図】図１【図１】
0006887654.tif 000002
【図２】
0006887654.tif 000003
【図３】
0006887654.tif 000004
【図４】
0006887654.tif 000005
【図５】
0006887654.tif 000006
【図６】
0006887654.tif 000007
【図７】
0006887654.tif 000008